(57)【特許請求の範囲】
【請求項１】
引っ張り部材（２）の引っ張り応力の表示のために用いられる負荷表示器であって、引っ張り部材が対向保持力の作用のための、横断面でほぼ滴の輪郭の形のループ若しくはアイ（３）を備えており、
負荷表示がループ若しくはアイ（３）内の、対向保持力の作用領域から離反して滴形の尖端に向けられた引っ張り部材側で行われるようになっており、
該目的のために負荷表示器がほぼシンブルの脚部の形式でループ若しくはアイ（３）の、互いに相対しかつ滴形の尖端に向かって収斂する内側側面（６，７）に接触していて、かつ内側側面（６，７）に対してほぼ横方向に弾性的に圧縮可能な表示体（１）を有しており、
負荷表示器の接触領域（１６，１７）間の間隔（８）が引っ張り応力の増大に伴って縮小しかつ引っ張り応力の増大に伴って拡大する負荷インジケータとして機能するようになっている形式のものにおいて、
表示体がループ若しくはアイ（３）の内側側面（６，７）を永続的に弾性的に押圧負荷していて、引っ張り部材のゼロ応力下でループ若しくはアイを軽く拡開していることを特徴とする、引っ張り部材の負荷表示器。
【請求項２】
表示体（１）が、ばね弾性的な材料から成る一体構造の成形部材であり、成形部材がほぼ引っ張り部材長手方向で滴形の尖端に向けられた端部で以てループ若しくはアイ（３）の内側側面に接触していて、アイが引っ張り部材のゼロ応力下でわずかに広げられている請求項１記載の負荷表示器。
【請求項３】
表示体（１）が、引っ張り部材に作用する側に向けられた開口を備えるほぼリングセグメント若しくはＣ字形の形を成している請求項１又は２記載の負荷表示器。
【請求項４】
表示体（１）の、リングセグメント・開口若しくはＣ字形・開口を制限する端部が、引っ張り部材側に向かって突出する脚部若しくは脚端部（１１）を有している請求項３記載の負荷表示器。
【請求項５】
脚端部（１１）が、互いに外側に向かう拡開方向（９，１０）に曲げられ若しくは折り曲げられている請求項１から４のいずれか１項記載の負荷表示器。
【請求項６】
脚部若しくは脚端部（１１）に配置されかつ他方の脚部に向かって突出して無負荷状態でほぼ、該他方の脚部とのオーバーラップ位置まで達している少なくとも１つの目視タブ（１９）が設けられている請求項４又は５記載の負荷表示器。
【請求項７】
目視タブ（１９）が目盛りを備えている請求項６記載の負荷表示器。
【請求項８】
目視タブ（１９）の縁部の少なくとも１つの段部が負荷インジケータとして設けられている請求項６又は７記載の負荷表示器。
【請求項９】
対向保持力を引っ張り部材に導入するアダプター部分（４）のボルト（５）が軸の形式でリングセグメント状若しくはＣ字形の表示体（１）内に差し込まれている請求項１から８のいずれか１項記載の負荷表示器。
【請求項１０】
一体構造の表示体（１）がほぼ、ギリシャ大文字のΩの形を成している請求項１から９のいずれか１項記載の負荷表示器。
【請求項１１】
一体構造の表示体（１）が、金属性のばね薄板から曲げ成形され、若しくはプラスチックから射出成形されている請求項１から１０のいずれか１項記載の負荷表示器。
【請求項１２】
リング円弧頂部（１２）及び／又は脚部及び／又は脚端部（１１）がほぼ方形の横断面を有している請求項１から１１のいずれか１項記載の負荷表示器。
【請求項１３】
引っ張り部材の確保若しくは引っ掛けのためのアダプター部分（４）であって、請求項１から１１のいずれか１項記載の負荷表示器（１）及び、ボルト状の確保部分を備えており、確保部分の横断面寸法若しくは外径が、表示体（１）のリング円弧セグメント状若しくはＣ字形のリング円弧頂部（１２）の内径よりも小さくなっていることを特徴とする、引っ張り部材の確保若しくは引っ掛けのためのアダプター部分。
【請求項１４】
引っ張り部材であり、ベルトアイ（３）及び請求項１から１２のいずれか１項に記載の、前記ベルトアイの内側側面（６，７）にシンブルの形式で接触する負荷表示器（１）を備えており、引っ張り部材（２）の負荷方向で測定したベルトアイ長さ（１３）が表示体（１）の中心縦軸線（１４）の方向で測定した長さ（１５）よりも大きくなっていることを特徴とする引っ張り部材。
【請求項１５】
表示体（１）の長さが負荷のない状態のベルトアイ長さ（１３）のほぼ５０％と８０パーセントとの間にある請求項１４記載の引っ張り部材。
【発明の詳細な説明】
本発明は、引っ張り部材、例えばラッシングベルト若しくはラッシングロープの引っ張り応力の表示のための負荷表示器に関する。引っ張り部材は以下、短く「ベルト」と呼ぶ。ベルトは、対向保持力を引っ張り部材に導入するアダプターに係合するためのループ若しくはアイを備えている。アダプター部分は、例えばシャックルのねじボルト若しくはラッシングチェットのストッパピンであってよい。
前記形式の負荷表示器は、ラッシング若しくは締め付けに際して使用者に、どのような負荷が生じているか若しくは危険状態を考慮すべきかどうかを視覚的に表示するために用いられる。例えば貨物自動車に積載されて締め付けられた貨物を運搬する際に、貨物が時々外部の力の影響によって移動してしまう。このような移動は、しばしばラッシングの強い応力を生ぜしめ、このような応力は貨物の取り除きに際して操作員に危険を及ぼす。締め付けラチェットを備えた公知の負荷表示器はラッシング時の緊定力の表示に役立ち、貨物の移動による張力を表示するものの、複雑な構造に基づき比較的高価である。
英国特許第２２５５１０９Ａ号明細書により、請求項１の上位概念の構成を備えた負荷表示器が公知であり、該負荷表示器は特にロープのために規定されていて、表示体が該目的のために適合されたロープシンブルによって形成されている。ぐるりと閉じられたロープシンブルは、滴形のループの尖端に向けられてループの内側面によって負荷されることのない区分に半径方向スリットを備えており、ロープシンブルの、ループの内側面に接触する脚部が互いに向き合う方向に運動空間を形成している。このようなわずかな運動空間は、横断面形状に基づき元来それ自体比較的剛性的なロープシンブルの脚部に高い負荷範囲で互いに向き合う方向に弾性的な運動機能を与えるものである。該運動の量は機械的な表示によって識別可能であり、従って負荷状態の推測を与える。このような負荷表示器は高負荷状態を明確にするためにしか適しておらず、極めて不正確で、しかも煩雑な構造である。
英国特許第２２２３１０２Ａ号明細書によって公知で機能的に類似の負荷表示器は、引っ張り部材のループと該ループ内に差し込まれたシャックルのねじピンとの間でねじピンをぐるりと３６０°にわたって取り囲みかつ負荷下で変形可能な特別な構造の成形体（Formkoerper）を有している。負荷下で生じる変形量が伸び計（Dehnungsmesseinrichtung）の形式で、作用している負荷のためのインジケータとして用いられる。
本発明の課題は、請求項１の上位概念に記載の形式の負荷表示器を改善して、該負荷表示器がわずかな負荷力をも表示でき、従って引っ張り部材の負荷範囲全体にわたって有効であるようにすることである。さらに、負荷表示器が経済的に製造可能でありかつ危険な締め付け力状態を表示するのに適しているようにすることである。該課題が請求項１に記載の構成によって解決される。このような手段は、ゼロ負荷下で軽く広げられたループ若しくはアイが負荷によって滴形の横断面を次第に変化させること及び滴形の伸びに基づく変形を基礎にしている。このようなベルトループ若しくはベルトアイは負荷を受けて、ベルトループ若しくはベルトアイ内に係合されたアダプター部分で導入された対向力の作用によってベルト方向に尖端を向けた滴の輪郭を形成する。ベルトアイ若しくはベルトループは、通常は引っ張り部材として全く一般的なベルト（Band）を一方の端部で１８０°にわたって折り返して、該折り返し位置でベルト端部を直接にベルトに接触させて固定するか、若しくは引っ張り部材としてのロープ（Seil）においてはロープに撚り継ぎすることによって形成される。引っ張り応力の増大に伴ってベルトループ若しくはベルトアイの内側側面が互いに接近する。接近する量が、ベルトループ若しくはベルトアイを観察するだけよりも、負荷表示器によって視覚的に良好に識別できる。
請求項２に、負荷表示器の特に簡単な構成が記載してある。請求項３に記載の別の実施態様においては、表示体の端部が外側でベルトに直接に接触している。請求項４に記載の実施態様は脚部間の間隔の識別性を改善するものである。請求項５に記載の実施態様は、請求項３及び４の構成を改善するものである。
請求項６乃至８には、無負荷状態と危険負荷状態との間の中間負荷をも読み取りやすくする実施態様が記載してある。これによって異なる負荷段階が明瞭に識別できる。
本発明を実施例に基づき詳細に説明する。
図１乃至図５は、ベルトループ若しくはベルトアイへの装着位置での負荷表示器若しくは表示体の種々の実施例を、それも左側の符号ａの付けられた無負荷の静止状態及び右側の符号ｂの付けられた負荷された危険状態で示しており、
図６は図３の実施例に類似のベルト結合部のベルト方向の縦断面図、
図７は図６のベルト結合部の矢印ＶIIの方向で見た平面図、
図８は別の実施例の負荷表示器を無負荷の静止状態で示しており、
図９は図８の実施例を負荷された危険状態で示しており、
図１０は表示体を示しており、
図１１は別の表示体を示しており、
図１２は図１１の表示体の斜視図であり、
図１３は図１０の、挿入されたアダプター部分を備える表示体の斜視図であり、
図１４は図１０乃至図１３の表示体に類似の別の表示体を示しており、
図１５は図１４の表示体の、異なる負荷状態での側面図であり、即ち、
ａ＝無負荷の静止状態、
ｂ＝１／３中間負荷状態、
ｃ＝２／３中間負荷状態、
ｄ＝危険・負荷状態、
図１６はアダプター部分の支持体としての締め付けラチェットを示しており、
図１７及び図１８は、アダプター部分の支持体としてのシャックルを示している。
負荷表示器１は、引っ張り部材（引っ張り部材（Zugmittel）は、以下、短く「ベルト２」と呼ぶものの、ラッシングベルト（Zurrband；lashing belt）、ラッシングロープ（Zurrseil；lashing cable）、若しくはスリングバンド（Hebeband；sling band）、若しくは類似のもののような全く一般的な種類の引っ張り手段である）の引っ張り応力の表示のために用いられる。ベルト２は端部にアダプター部分４の確保若しくは引っ掛けのためのベルトループ若しくはアイ３を備えており、アダプター部分が通常は、有利には横断面円形のボルト（Bolzen）５によって形成されていて、確保位置（Anschlagsterllung）でベルトアイ３を貫通している。ボルト５の代わりに、円形と異なる横断面のピン状の結合部材若しくは湾曲部材も用いられてよい。
基本的には負荷表示器（Belastungsanzeiger）若しくは表示体（Anzeigekoerper）１はボルト５と並べてベルトアイ３内に配置されている。該配置は、ベルトアイ３の滴形の尖端の側で行われ、従って負荷表示器１が直接に引っ張り負荷で負荷されることはない。これに対して、ボルト５はベルトアイの、滴形の湾曲部に対応するループ区分に接触している。これは、表示体１とボルト５との並べられた配置で図１及び図２の場合である。図１の場合、表示体はばね弾性の材料の一体構造の成形部材であって、横断面Ｃ字形で引っ張り部材側、即ち滴形の尖端にＣ字形開口を向けて成るリングセグメント（Ringsegment；annular segment）として形成されている。図２の場合、表示体は複数構造である。ここでは表示体は、ベルトアイ３の内側側面（Innenflanke）６，７に接触する２つの端部片１６，１７及び該端部片間に位置する弾性的に圧縮可能な媒体としての圧縮ばね１８から形成されている。
負荷のかからない位置でＣ字形の一体構造のリングセグメントとしての表示体１の有利な実施例は、Ｃ字形開口を制限する端部に引っ張り部材側へ向かって突出する脚部（Schenkel）若しくは脚端部（Schenkelende）１１を有している。脚端部１１は図８乃至図１４の実施例では互いに外側に向かう拡開方向９，１０に曲げられ若しくは折り曲げられている。脚端部はゼロ負荷下で該脚端部によって生ぜしめられた拡開作用に基づきベルトアイ内に摩擦接続的（haftschluessig）に受容されていて、ループ若しくはアイ３の内側側面６，７を負荷している。
表示体のコンパクトな構成に基づき、固定部材（Anschlagteil；fixing element）４としてのボルト５と一体構造の表示体１との、図４乃至図９及び図１３に示した協働する形での組み合わせが、著しく有利である。即ちこの場合、ボルト５は軸の形式で、無負荷状態でＣ字形のリングセグメント状の表示体１内に差し込まれていて、引っ張り負荷に抗して表示体１の凹面側を負荷する。従って、ベルトアイ３は慣用の大きさであってよく、これによって表示識別性が損なわれることはない。
表示体１は、ほぼギリシャ文字のΩに類似の横断面形状を有している。表示体は金属性のばね薄板から曲げ成形されているが、プラスチックから射出成形によって形成されていてよい。表示体の簡単な製造が、表示体のリング円弧頂部（Ringbogenhaupt）１２及び脚部のほぼ方形の横断面形状によって達成される。しかしながら、横断面形状はシンブルの形式で湾曲されていてよいく、従ってベルトアイ３との形状係合（Formschluss）を可能にする。
図１４に示す表示体は下側の脚端部１１に目視タブ（Sichtleiste；viewing tab）１９を有しており、目視タブは上側の脚端部に向かって突出して、無負荷状態（図１５）でほぼ、上側の脚端部とのオーバーラップ位置まで達している。目視タブは表示体１の簡単な折り曲げ部である。目視タブ１９は、装着位置で外側から良好に目視可能な両方の側方縁部に階段の形式で形成された目盛りを備えている。階段２０の個別の段部が負荷表示部である。各段部が表示体１の上側の脚端部１１とオーバーラップして異なる負荷を表示する。異なる負荷段部の危険性が異なる色によって信号化されていてもよい。
表示体１を備えたベルト２の確保若しくは引っ掛けのためのボルト５は、表示体１のリング円弧セグメント状の頂部１２の内径よりも小さい横断面を有しており、従って、危険領域を越えて行われる過負荷の場合に、ボルト５に関連して直径減少が可能であり、直径減少によって脚端部１１が必然的に互いに接近若しくは接触する（図９、図１５）。まさにこのような接触が危険状態を表している。リング円弧頂部の有効直径の減少のための圧縮力が、ばねクリップ（Federklammer）の適当な寸法によって所定の負荷値に適合される。これによって、間隔８はベルト２若しくはループ３の負荷状態のため、即ち危険状態の発生に対する視覚的に容易に認知可能な表示手段である。
負荷表示器がまだ負荷されていない場合には、脚部は拡開位置（図８）を占めており、該拡開位置では脚部の脚端部１１が内側からベルトアイ３に接触して、ベルトアイを軽く拡開している。負荷に際してベルトアイ３が半径方向でリング円弧頂部１２を押圧する。この場合、クランプとして形成された表示体がボルト５に支えられ、リング円弧頂部１２が負荷されて曲げられる。クリップ１は面負荷形の曲げばね（flaechenbelastete Biegefeder）と同じように負荷に応答する。リング円弧頂部１２の変形が脚端部１１の位置変化を生ぜしめ、脚端部が互いに接近して、危険な負荷に際しては互いに接触する。
符号の説明
１  表示体、２  ベルト、３  ベルトアイ、４  アダプター部分、５  ボルト、６，７  内側側面、８  間隔、９，１０  拡開方向、１１  脚端部、１２  リング円弧頂部、１３  ベルトアイ長さ、１４  中心縦軸線、１５  長さ、１６，１７  端部片、１８  圧縮ばね、１９  目視タブ、２０  段部
【図１Ａ】
0003844512.tif 000002
【図１Ｂ】
0003844512.tif 000003
【図２Ａ】
0003844512.tif 000004
【図２Ｂ】
0003844512.tif 000005
【図３Ａ】
0003844512.tif 000006
【図３Ｂ】
0003844512.tif 000007
【図３Ｃ】
0003844512.tif 000008
【図４Ａ】
0003844512.tif 000009
【図４Ｂ】
0003844512.tif 000010
【図５】
0003844512.tif 000011
【図６】
0003844512.tif 000012
【図７】
0003844512.tif 000013
【図８】
0003844512.tif 000014
【図９】
0003844512.tif 000015
【図１０】
0003844512.tif 000016
【図１１】
0003844512.tif 000017
【図１２】
0003844512.tif 000018
【図１３】
0003844512.tif 000019
【図１４】
0003844512.tif 000020
【図１５Ａ】
0003844512.tif 000021
【図１５Ｂ】
0003844512.tif 000022
【図１５Ｃ】
0003844512.tif 000023
【図１５Ｄ】
0003844512.tif 000024
【図１６】
0003844512.tif 000025
【図１７】
0003844512.tif 000026
【図１８】
0003844512.tif 000027